(57)【要約】【課題】お見舞いやお祝いに花を持参した時、花瓶がなくて困る事がよくある。そうした時、嵩張らず軽くて持ち易く、使用時には組立てが簡単で、花類を挿入しても自立安定性に優れ、割れたりしない花瓶があれば大変便利である。そうした花瓶の提供が目的である。【解決手段】両端部開口の細長い中空容器２を使用し、その上部開口部分を花差し部４とし、下部の構造を工夫し自立安定性に優れた花器１を得た。即ち、下部に短冊状の細長片を外方拡部５として設けた。これを外方拡部５ａと５ｂに区分。外方拡部５ａは水平状の接地部用であり、外方拡部５ｂは張出し形状の転倒防止用である。外方拡部５ａは板状物９へ接着し、外方拡部５ｂはその端部６を被覆容器８の下へ差込む。一方、上部の方は、ポリ袋１４を中空容器２の花差し部４の中に入れ花差し用とし、花差し部４の外側は被覆容器８で覆う。被覆容器８はその下端を係止部１０に差込み係止する。【選択図】図６
2006326280.tif 000002
【特許請求の範囲】
【請求項１】
折畳み可能な中空容器２を花差し部４とする花器１において、該中空容器２の外側面に折畳み可能な中空状物３の側面部分を装着させ張出し形状の転倒防止部を形成させた事を特徴とする組立式花器。
【請求項２】
折畳み可能な中空容器２を花差し部４とする花器１において、該中空容器２に短冊状の細長片を外方拡部５として設け、該外方拡部５を該中空容器２の外側方向へ拡げフラット形状の接地部及び張出し形状の転倒防止部を形成させた事を特徴とする組立式花器。
【請求項３】
上記請求項１に記載の折畳み可能な中空状物３装着の方法と請求項２に記載の短冊状の細長片を外方拡部５として設ける方法とを併用する事を特徴とする請求項１及び２に記載の組立式花器。
【請求項４】
上記花器１の接地部に板状物９を装着した事を特徴とする請求項１から３に記載の組立式花器。
【請求項５】
上記板状物９にスリット１６を設け、該スリット１６へ中空容器２や中空状物３に設けた外方拡部５や挿入片１７を差し込み、該中空容器２や該中空状物３を該板状物９に装着する事を特徴とする請求項１から４に記載の組立式花器。
【請求項６】
上記花差し部４の上部外側面を、折畳み可能な中空状の被覆容器８にて被覆した事を特徴とする請求項１から５に記載の組立式花器。
【発明の詳細な説明】
【技術分野】
【０００１】  本発明は、折畳んだ状態で容易に携帯でき、使用時には組立てが簡単で、テーブル等に置いてもそれ自体で安定的に自立可能な組立式花器に関するものである。
【背景技術】
【０００２】  折畳んで携帯可能な花器に関しては、従来からいろいろと提案されている。例えば、上部に花挿入口を有する有底の防水性中空容器の側面部に折れ線を設け、それに沿って有底防水性中空容器を折畳みフラット状とし携帯便利とした［特許文献１〜３］や［実用新案文献１〜３］等が提案されている。それらはたしかに携帯には便利であるが、テーブル等に置いた場合そのままでは自立性に乏しく大変不安定で、係止具や固定具等の助けを借りなければ外力や衝撃等で容易に倒れ極めて使い難い。【０００３】  そのため、［特許文献４］では花瓶と同様な形状をした筒状体を花瓶の底部にスリット嵌め合わせした架台の提案、［実用新案文献４］では２本の棒状物を交差噛合せて張出し部を形成させる提案等があるが、携帯性や自立安定性等の面ではまだ実用的とはいい難い。【０００４】
【特許文献１】  特開平０８−０３３５４７
【特許文献２】  特開平１１−１１３７０４
【特許文献３】  特開２００１−３４０１９３
【特許文献４】  特開２００４−１８８０４６
【実用新案文献１】
実開昭６１−１０６１１４
【実用新案文献２】
実開昭６３−０８５１６３
【実用新案文献３】
実開平０７−００９１７７
【実用新案文献４】
実登３０２４４４８
【発明の開示】
【発明が解決しようとする課題】
【０００５】  お見舞いやお祝い用などとして花類を病院や楽屋、店舗等に持参した場合、それを入れて飾る花瓶類が見当たらずに困る事は、しばしば経験するものである。そうした場合、花類と一緒に簡便に持参出来、しかも持参先で簡単に組立て出来て使い易い花瓶があれば大変便利である。しかし、［背景技術］でも述べた様に、その携帯性や使用時の自立安定性等の面でまだ実用的なものは得られていない。コップやペットボトル、牛乳パック等は身近にあり手軽に使えるが、ちょっとした外力等で倒れ周囲を汚してしまう。
そこで、本発明は、携帯時に嵩張らず、軽くて、使用時には組立てが簡単で、花類を挿入しても自立安定性に優れ倒れ難く、又落としても割れたりしない花瓶を提供する事を目的とする。
【課題を解決するための手段】
【０００６】  本発明は、携帯時に軽くて嵩張らず、組立が簡単で、使用時に花器自体で安定的に自立可能な構造とする為、折畳み可能な構造の中空容器や中空状物、板状物を主体とし、使用時の組立てが接着や差し込み等の簡単操作で出来る事を主要な特徴とするものである。【０００７】  即ち、折畳み可能な中空容器２を花差し部４とする花器１において、その花差し部４を形成の中空容器２の外側面に折畳み可能な中空状物３の側面部分を装着させて張出し形状の転倒防止部を形成させる事により解決した。【０００８】  更に、折畳み可能な中空容器２を花差し部４とする花器１において、その中空容器２に短冊状の細長片を外方拡部５として設け、その外方拡部５を中空容器２の外側方向へ拡げフラット形状の接地部及び張出し形状の転倒防止部を形成させる事により解決した。又、この外方拡部５を設ける方法と前述の折畳み可能な中空状物３装着の方法とを併用する事によっても解決した。【０００９】  更には、上記花器１の接地部分に板状物９を装着した事により、自立安定性を一層向上させた。又、この板状物９にスリット１６を設け、このスリット１６へ中空容器２や中空状物３に設けた外方拡部５や挿入片１７を差込み装着する方法により、装着組立て及び分解操作が容易となった。【００１０】  更には、上記花差し部４の外側部を、折畳み可能な中空状の被覆容器８で被覆する事により、デザイン性の向上や補強を行った。
【発明の効果】
【００１１】  上述の様に、折畳み可能な中空容器や中空状物、被覆容器、板状物等を主要な構成とし、使用時の組立ても簡単に出来る様に工夫した結果、次の様な特徴ある花器を得るに至った。【００１２】▲１▼嵩張らず携帯に便利である。中空容器や中空状物、被覆容器は折畳み可能であり板状物はシート状であるので、折畳んで重ねると嵩張らない状態となり持ち運びが大変やり易い。
▲２▼使用時の組立てが簡単である。花器に組立てる時は、両面テープ等で接着したり、スリットや切込み等へ差込んだり等の簡単操作で可能なので、誰でも容易に組立て出来る。
▲３▼軽くて扱い易い。紙やプラスチックを使用しているので軽くて花類と一緒に持ち運んでも苦にならない重さである。また、各パーツもそれぞれ軽いので扱い易く、組立て操作等も大変楽に出来る。
▲４▼自立安定性に優れている。転倒防止部形成、板状物装着等の工夫により安定した自立状態が花器自体で保持出来ており、画鋲やマグネット等の固定具や係止具等の助けを借りて壁やテーブル等に固定や係止する必要がない。
▲５▼壊れ難い。紙やプラスチック類で構成しているので、落としても陶磁器やガラス等で出来た花瓶の様に壊れる心配もなく安心して取り扱い出来る。【００１３】▲６▼上述の▲１▼〜▲５▼に示す特徴があるため、お見舞いやお祝い時等に花類と一緒に持参しても重さや持ちにくさなど苦にならないし、テーブル上のスペースもあまり占拠しないので病院、楽屋、店舗などへも気がねなく持って行ける。
▲７▼紙やプラスチック類で出来ているので、花器の外面にいろいろのデザイン（配色組合せ、絵画や文字類の書込み、シール等の貼付け等）が出来、生けた花を楽しむだけでなく花器自体でも貰った人が自分流にデザイン工夫し楽しむ事ができる。
▲８▼転倒防止部として開口部が上向きの中空状物を使用した場合など、その中空状物にも花類を差して楽しむ事も出来る。花以外のもの、例えば、筆記具、定規、ハサミ、リモコン、計算機、眼鏡、耳掻き、飲物容器など、いろいろの物を入れるスペースとして使う事も出来る。更には、花差し部４も、水を入れないでおけば、長めの定規やハサミ、飲物容器等の収納用としても使用出来る。
【発明を実施するための最良の形態】
【００１４】  携帯性に適すると共に使用中の自立安定性が十分優れている構造とする為、中空容器２や中空状物３、板状物９等を主体に使用し目的を達成した。【００１５】  即ち、花類挿入用の開口部を上方部に有する中空容器２の外側面に中空状物３の側面部分を装着させる。その中空状物３を側面へ装着した事により、中空容器２の外側に転倒防止用の張出し部分が形成された状態となり目的を達成した。【００１６】  また、上記中空容器２の上辺部や下辺部に短冊状の細長片を外方拡部５として設け、その外方拡部５を中空容器２の外側方向へ拡げフラット形状の接地部及び張出し形状の転倒防止部を形成させる方法によっても達成した。【００１７】  上記方法にて形成の花器１は花差し部４の外側が張出した形を呈している為、自立安定性に大変優れた構造となっている。また、中空容器２も中空状物３もその素材としては紙やプラスチックのシート類、それらの複合材、組合せ物等が好適に使用可能で、しかも折畳み可能な中空状の構造を採用しているので、平たく折畳めて嵩張らず軽いので持ち運びが大変楽である。更に、使用時の組立ては、中空状物３や端部６、被覆容器８等を接着、差込み、被覆等といった簡単な操作で短時間に出来る。【００１８】  上記の２つの方法により転倒防止部を形成したものはそれだけでも安定な自立性を示すが、更に板状物９を花器１の接地部分に装着すれば、自立安定性や剛性等が更に一層向上し、花の量を増やしたり、より背の高い花を生けたり出来る様になる。板状物９は、円形や多角形或はこれらの組合せ形状のフラットなシート状物が適している。又、素材としては、中空容器２や中空状物３と同様の材料が使用出来る。【００１９】  また、中空容器２の花差し部４が防水性等でなく水漏れの恐れがある構造の時は、そこにはポリ袋１４やペットボトル等の防水性容器類を別途挿入し使用する。ポリ袋１４の場合、その開口部を折り返して花差し部４の上端部に引っ掛け係止したりするが、そうすればポリ袋１４の係止部分が見えて見苦しい時もある。その際には、花差し部４の上部外側面を中空状の被覆容器８にて覆うようにする。こうすればポリ袋１４は見えなくなるし、また被覆容器８のデザインを工夫しておけば全体の見栄えも向上し一層綺麗な花器を提供する事も出来る。この被覆容器８での被覆は花差し部４の補強にも有効である。【００２０】  この被覆容器８は、中空状物３と同様な素材が使用でき、また、形状としては花差し部４を覆うために中空状としているので、折畳み可能で軽くて花器１の携帯性等を損なう恐れはない。なお、花差し部４には水を入れたり取り替えたりするが、この被覆容器８を装着したまま行うと部分的ではあるが濡れる時がある。こうした時には、撥水性や防水性の材料を使っておく事が望ましい。
以下、実施例にもとづき本発明を更に説明する。
【実施例１】
【００２１】  本実施例は、上端部に開口部を有する防水性で有底の中空容器２を花差し部４とし、その外側面の部分に転倒防止のための中空状物３（本実施例では３Ａと３Ｂ）を装着した花器１の実施例である。図１〜４に花器１や各パーツの斜視図、配置図、展開図等を示す。図１は組立て使用中の花器１の斜視図を、図２は花器１の各パーツの組立て時の配置図を、図３は各パーツの斜視図を、図４は各パーツ製作用の展開図を示す。使用パーツは、中空容器２と中空状物３Ａ、３Ｂで、紙を用い製作した。【００２２】  本実施例の図１に示す花器１は、図３の（イ）、（ロ）、（ハ）に示す各パーツを組立てて作る。図３の（イ）は、上端部に花類挿入用の開口部を有する直方体形状の有底防水性の中空容器２で、それを花差し部４として使用する。（ロ）は上端部が開口している有底非防水性の直方体形状の中空状物３Ａで、高さは中空容器２の約半分である。（ハ）は、両端部が開口状態の非防水性の直方体形状の中空状物３Ｂで、図の様に横にした状態で使用する。【００２３】  各パーツの製作方法の例を示せば、中空容器２の作成は、図４の（イ）に示す展開図において、ノリ代部１３に糊を付け折れ線１２ｆに沿って折り曲げ図３の（イ）の形状の有底直方体を作る。中空状物３Ａ及び３Ｂも同様に、それぞれ図４の（ロ）から図３の（ロ）を、図４の（ハ）から図３の（ハ）を作る。それらの各パーツで花器１を組立てる時は、中空容器２は１ヶ、中空状物３Ａは２ヶ、中空状物３Ｂは２ヶを使用する。図２にその使用各パーツの組立て時の配置状態を示す。【００２４】  図２の組立て配置図に示す様に、中空容器２は花差し部４として使用するため開口部を上向きにし中央部に配し、中空状物３Ａの２ヶはそれぞれ図に示す様に中空容器２の相対する外側面に開口部を上向きにし配置し、また中空状物３Ｂの２ヶはそれぞれ中空容器２の相対する外側面に開口部を横向き即ち横長の状態に配置し、中空状物３Ａと３Ｂとが中空容器２から張出して転倒防止の為の構造を形成するような形に配置する。【００２５】  この様に各パーツを配置した後、図２に示す様に、中空状物３Ａ、３Ｂの側面部分を矢印で示す要領で中空容器２の外側面に両面テープで装着し図１に示す花器１を形成する。その際、中空容器２の接地面と中空状物３Ａ、３Ｂの接地面とは同一平面を形成し安定した接地状態が得られる様に装着する。【００２６】  こうして得られた花器１を使用する場合には、図１に示す様に、花差し部４に適当量の水を入れそこに花７を差し使用する。花７として造花類を使用する場合には水は不要である。なお、中空状物３Ａは上向きに開口させているのでここにもいろいろのものを入れる事が出来る。例えば、造花類とか文具類、眼鏡、リモコン、耳掻き、飲料用容器等々の収納スペースとして使用出来る。又、ここも生花用として使いたい時は防水性の材料を使い作成するか、ポリ袋やペットボトル等の防水性容器を挿入すればよい。【００２７】  以上の様に花７を挿入使用した場合、中空状物３Ａや３Ｂを装着しない構造のものではちょっとした外力が作用しても大変倒れ易いが、中空状物３Ａや３Ｂを装着した本発明花器１ではそうした時でも容易には倒れる事がなく大変安定的に自立して���て安心して使用する事が出来る。これは、花差し部４の周りを中空状物３Ａや３Ｂにて挟み込み張出し形状の転倒防止部を形成する構造とした本発明の効果である。【００２８】  本花器１は、携帯時には組立て前の図３の各パーツに分けた状態で運ぶ。ただ、この分けたままの形では嵩張るので、持ち易いように平たく折畳む。この折畳みも、各パーツが中空形状体であるので平たく折畳み可能である。有底のものは、本実施例では中空容器２と中空状物３Ａであるが、折れ線１２ｇに沿い折畳み、有底でない中空状物３Ｂは稜線部の折れ線１２ｆを利用し折畳めば、平たい嵩張らない状態となる。【００２９】  使用時の組立ても簡単で、各パーツを上述の平たく折畳んだ状態がら図３の直方体状に復元後、図２の様に配置し中空容器２、中空状物３等の互いに接する側面を両面テープで装着すれば図１の花器１が得られる。また、本花器１の使用材料は紙であるので大変軽く持ち運びが楽である。【００３０】  中空容器２や中空状物３の形状としては、本実施例では断面形状が大略正方形状の直方体状物を使用したが、三角形状や六角形状等の多角形状物、円形・だ円形等の円形状物、或はこれらの組合せ形状物等も使用可能である。ただ、製造コストや折畳み性等を考えた場合には、矩形状の直方体状物が作り易く使い易く好ましい。又、携帯に便利なように平たく折畳める必要がある為、内部は中空状である必要がある。【００３１】  中空状物３の配置としては、中空容器２の外側面に張出した形状の転倒防止部を形成する様に装着する事が必要であるが、中空状物３Ａの様に縦向きでも中空状物３Ｂの様に横向きでもよい。また、中空状物３は有底であっても、有底でなくとも、転倒防止部を形成出来る形状構造であればよい。
【実施例２】
【００３２】  本実施例は、中空容器２の下辺部に短冊状の細長片を外方拡部５として設け、その外方拡部５の端部６を外側方向へ拡げ接地部及び転倒防止部を形成し製作した花器１の実施例である。図５〜図８に花器１や各パーツの斜視図、配置図、展開図等を示す。図５は本実施例の花器１の斜視図を、図６は各パーツの斜視図とその組立て時の配置図を、図７は中空容器２の製作過程図を、図８は各パーツの展開図を示す。パーツとしては中空容器２、被覆容器８、板状物９、ポリ袋１４を用い、ポリ袋１４以外は紙を使用した。【００３３】  中空容器２は、図８の（ロ）の展開図から図７の製作過程を経て図６の中央部に示す形状の中空容器２へ作り上げる。即ち、図８の（ロ）の展開図に示すノリ代部１３に接着剤を付け折れ線１２ｆに沿い折り曲げ、図７の直方体状の形状になるように作り上げる。【００３４】  その際、中空容器２の下部部分に端部６から中央方向に向かい３本のカット線１１を折れ線１２ｈまで引き、それに従って３本の切れ目を入れ４片の短冊状の細長片を外方拡部５（本実施例では５ａと５ｂとに区分）として形成する。又、折れ線１２ｈ、１２ｊを図８の（ロ）の様に設け、その折れ線１２ｈ，１２ｊにて、外方拡部５を接地部となる外方拡部５ａの部分と花差し部４の外周部に沿って立上る形となる外方拡部５ｂの部分とに区分する。【００３５】  カット線１１で切れ目を入れ形成の４片の外方拡部５は、図７に示す様に、まず折れ線１２ｈで曲げて外側方向へ拡げ、外方拡部５ａがフラットな接地部を形成する様にし、更に折れ線１２ｊで曲げて外方拡部５ｂが上向きに立ち上がり張出し形状の転倒防止部を形成出来る形状にした後、その端部６を花差し部４の外周部に沿う形になるように近づける。その際、外方拡部５ｂの途中部は折れたりしないようにし、図６に示す様な形良く反った形状となるようにする。【００３６】  一方、被覆容器８は撥水性の紙を用い、図８の（イ）の展開図にもとづき折れ線１２ｆで折り曲げノリ代部１３で糊付して、図６に示す両端開放状態の直方体状のものを作る。板状物９は厚手の紙を使い図６に示す円形状に作成する。ポリ袋１４は市販品を使用する。これらの中空容器２、被覆容器８、板状物９、ポリ袋１４を図６に示す様に配置し、中空容器２の接地部となる外方拡部５ａの下面を板状物９の面に両面テープで付着固定する。【００３７】  更にポリ袋１４を中空容器２の花差し部４の内部に入れる。ポリ袋１４は、その上端の開口部分を折り返して花差し部４の上端部分に引っ掛け、その上から被覆容器８で覆う。その際、外方拡部５ｂの端部６は被覆容器８と花差し部４との間に差し込んで装着する。また、被覆容器８が下方へ落ち過ぎてポリ袋の上端部が見えたりしない様に、即ち、適当な高さで止まるように、被覆容器８の下端部を外方拡部５ｂに設けた係止部１０に、図５に示す様に差込み係止させる。【００３８】  以上の様にして形成された本実施例の花器１を図５に示す。ポリ袋１４に水と花を入れ使用する。その際、花の茎の先端等でポリ袋１４が傷ついたりしない様にポリ袋１４の中にティッシュペーパー類や水吸収性材料等を入れておく事も出来る。もしポリ袋１４が傷ついたりした場合は被覆容器８を外せばポリ���１４の交換は簡単に出来る。また、ポリ袋の代わりにペットボトル等の防水性容器等を挿入使用する事も出来る。【００３９】  本実施例の花器１も、実施例１と同様、図６に示す各パーツは稜線部の折れ線（図８の折れ線１２ｆ）に沿って折り曲げれば平たく折畳めて嵩張らす、しかも軽いので携帯には大変好適であり、且つ組立ても上述の通り両面テープ等での接着や差込み等の操作で出来て簡単である。また、強さや自立安定性等も実施例１に劣らず大変優れている。【００４０】  本実施例では、被覆容器８を適切な高さの位置にセットする為に外方拡部５ｂの途中部に設けた係止部１０に係止したが、係止方法としてはこの方法に限定されるものではない。例えば、図９の（イ）や（ロ）、（ハ）に例示の方法などがある。図９の（イ）に示す方法は、外方拡部５ｂの端部６を２つに切り分け、そのひとつを係止部とし、他方は被覆容器８と花差し部４との間に差込み装着する部分とする方法である。図では右側を係止部１０とし係止用に使用し、左側の端部６は被覆容器８の下に差込み装着する例である。【００４１】  また、図９の（ロ）、（ハ）は、被覆容器８の上端部の稜線部分に係止部１０となる凹部を設け、それを花差し部４の上端角部に引っ掛け係止する方法である。（ロ）は係止部１０を設けた被覆容器８の斜視図を、（ハ）は平面図を示す。
なお、係止部はなくとも被覆容器８での被覆は可能であり、その際には被覆容器８と花差し部４との間の隙間寸法を適切に設けておく必要がある。
【実施例３】
【００４２】  本実施例は、実施例２で中空容器２に設けた外方拡部５の形状や構成等を変化させた実施例である。図１０〜図１２に、花器１や各パーツの斜視図、配置図、展開図等を示す。図１０には各パーツを組立て製作した本実施例の花器１の斜視図を、図１１には各パーツの斜視図と組立て時の配置図を、図１２には各パーツの展開図を示す。パーツとしては、中空容器２、被覆容器８、板状物９、中空状物３Ｃ、ポリ袋１４を使用し、ポリ袋１４以外は紙で製作した。【００４３】  実施例２との主な相違点は、中空容器２の転倒防止部を構成する外方拡部５の形状と構成並びに転倒防止部の一部に中空状物３Ｃを使用した点である。中空容器２は図１２の（イ）の展開図から、図１１の中央部にある中空容器２の形状のように作る。実施例２と異なり、図１２の（イ）に示す様に外方拡部５は３片しかなく、一番右側の一片は欠けている。その３片の内の２片は実施例２と同様な形状の外方拡部５ａと５ｂとから成り、その２片は実施例２と同様の反った形状を形成させる。残りの１片（図１２の（イ）で、左側から２番目の片）は出来上がり形状が反った形ではなく、図１０に示すような直方体形状を形成させる。【００４４】  この直方体形状を形成する外方拡部５は、折れ線１２ｈ、１２ｊ、１２ｋ、１２ｍにより外方拡部５ａ、５ｃ、５ｄ、５ｅに区分され、図１２の（イ）の展開図にもとづき図１１に示す様な形状へと作り上げる。即ち、折れ線１２ｈで外方拡部５ａが接地部となる様に折り曲げ、折れ線１２ｊで外方拡部５ｃが花差し部４と平行になる様に立ち上げ、更に折れ線１２ｋで水平状の外方拡部５ｄを形成する様に折り、更に折れ線１２ｍで外方拡部５ｅが花差し部４の外側面に装着出来る様に折り曲げて作り上げる。【００４５】  又、中空容器２の外方拡部５が欠けている部分には中空状物３Ｃを装着する。中空状物３Ｃは、図１２の（ロ）の展開図にもとづき、折れ線１２ｆで折り曲げノリ代部１３で糊付し両端開口状態の直方体として作る。被覆容器８、板状物９、ポリ袋１４は実施例２と同様にして作成等行う。【００４６】  これらのパーツを図１１の様に配置し、外方拡部５ｅと中空状物３Ｃとを花差し部４の相対する外側面に図１１の矢印に従い貼付け後、外方拡部５ａを板状物９の面に貼り付ける。その際、中空状物３Ｃの下端部と板状物９の面との間にギャップ等が出来ない様に貼り付ける。又、中空状物３Ｃの上端部と外方拡部５ｄの面とが同一面となる様に設計セットする。【００４７】  その後、実施例２と同様の要領でポリ袋１４を花差し部４の中に入れ被覆容器８をかぶせ図１０の花器１を得る。この時、被覆容器８は外方拡部５ｄの面と中空状物３Ｃの上端部で係止される。又、中空状物３Ｃは上端部を開口としているので、実施例１の中空状物３Ａと同様に収納スペースとして使用出来る。
この様にして得られた花器１は、その自立安定性、強さ、使い勝手等、他の実施例同様に優れた物である。
【実施例４】
【００４８】  本実施例は、実施例１において、横向きに装着した断面形状が矩形の直方体状の中空状物３Ｂの代わりに断面形状が三角形状の中空状物３Ｅを使用した点と、板状物９を使用した点とが異なるものである。図１３に本実施例の花器１の斜視図を、図１４の（イ）に中空状物３Ｅの斜視図を、（ロ）にその側面図を、（ハ）に八角形状の板状物９の平面図を、図１５に中空状物３Ｅの展開図を示す。【００４９】  中空状物３Ｅは、図１５の展開図において、上端と下端とが互いに近づく様に２ヶ所の折れ線１２ｆを利用し折り曲げ、図１４の（イ）と（ロ）に示す様な断面形状が直角三角形の中空状物３Ｅを作る。その際、互いに近づけた上端と下端の部分は接着等せず縁が切れた状態にしておく。そうすれば、中空容器２や板状物９へ装着する前であれば平たい形状なので、嵩張らない状態で携帯できる。【００５０】  花器１への組立ては、まず実施例１と同様の中空容器２と中空状物３Ａを使用し同じ要領で両者を装着させる。それを八角形状の板状物９に両面テープで貼付け後、中空状物３Ｅを実施例１の中空状物３Ｂの代わりに図１３の様に貼り付ける。中空状物３Ｅの貼付けは、図１３に示す様に、直角を形成する２面のうちの水平面部分を板状物９に、もう１面の垂直面部分を花差し部４の側面に両面テープで装着する。中空状物３Ｅは２ヶ使用し、実施例１の中空状物３Ｂと同様に花差し部４の相対する側面に開口部を横向きにし装着する。【００５１】  なお、中空状物３としては、実施例１の図３の（ロ）、（ハ）に示す中空状物３Ａや３Ｂの様に、そのままで張出し形状を形成できる容器の形をしているものであってもいいし、本実施例の中空状物３Ｅの様に、装着前は平たい平面的なものであるが中空容器２や板状物９に装着すれば張出し形状を形成出来る形状となるものであってもよい。
この様にして得られた本実施例の花器１も、実施例１のものと同様に自立安定性に優れ使い勝手等も良いものである。
【実施例５】
【００５２】  本実施例は、実施例２において、短冊状の細長片の外方拡部５を設ける部位と板状物９の形状とを変え、被覆容器８は使用しない実施例で、プラスチックシートを使用し製作した。即ち、実施例２では中空容器２の下辺部に外方拡部５を設けたが、本実施例では上辺部の方に外方拡部５を設けた。また板状物９の形状を八角形状とした。図１６に本実施例の花器１の斜視図（ポリ袋１４は省略）を、図１７に中空容器２の組立て途中図の斜視図を、図１８に中空容器２の展開図を示す。【００５３】  中空容器２は、図１８の展開図から図１７の（イ）を経て（ロ）の形に作り上げる。外方拡部５は上辺部の方へ設けるが、その形成は、図１８の展開図に示す様に、カット線１１を中空容器２の上辺の端部６から中央方向へ、即ち、下方へ向って折れ線１２ｈまで引き、それに従い切れ目を入れ形成する。その後、同図のノリ代部１３に糊付し折れ線１２ｆで折り曲げて、図１７の（イ）に示す様な上辺部に外方拡部５（５ａと５ｂ）を有する直方体状の中空容器２を作る。【００５４】  その後、折れ線１２ｈで外方拡部５ｂを外側へ折り曲げて下方へ押し下げ張出し形状部分を形成させ、更に折れ線１２ｊで折り曲げて接地面となる外方拡部５ａを形成させ、図１７の（ロ）の形とし、その外方拡部５ａを板状物９に両面テープで装着し図１６の花器１を形成する。板状物９は実施例４と同様の八角形状物を使用する。なお、図１６にはポリ袋１４は省略してあるが実施例２と同様な要領で挿入すれば、実施例２と同様にそこに水を入れ花を差す事が出来る。
この様にして得られた本実施例の花器１も、実施例２のそれと同様に自立安定性に優れ使い勝手等も良いものである。
【実施例６】
【００５５】  本実施例は、中空容器２の板状物９への装着を両面テープではなくスリット１６への差込装着で行った実施例である。図１９〜図２１に花器１や各パーツの斜視図、配置図、展開図等を示す。図１９は本実施例の花器１の斜視図（ポリ袋１４は省略）を、図２０は各パーツの斜視図とその組立て時の配置図を、図２１は各パーツの展開図を示す。パーツとしては中空容器２、中空状物３Ｆ、板状物９、ポリ袋１４を用い、ポリ袋以外は紙で製作した。【００５６】  中空容器２としては、実施例２や実施例３の下辺部に外方拡部５を設けるタイプのものを使用した。ただし、転倒防止部として中空状物３Ｆを２個使用したので、それを装着する部位には外方拡部５は設けない。従って、外方拡部５は２片のみである。その展開図を図２１の（イ）に示す。この展開図から、図２０に示す中空容器２を実施例２や実施例３と同じ要領で形成する。【００５７】  中空状物３Ｆは、図２１の（ロ）の展開図から、実施例１，３，４で中空状物を作ったと同じ要領で、図２０に示す中空状物３Ｆの形とする。なお、中空状物３Ｆの両端は開放状態とし、又その下端縁部には板状物９のスリット１６ｂに差込む為の挿入片１７を設けておく。【００５８】  板状物９としては、円形状ではあるがその相対する端部をカットした図２０に示す形状のものを使用し、更に中空容器２の差込み装着用のスリット１６ａと中空状物３Ｆの差込み装着用のスリット１６ｂとを設ける。スリット１６ａには、後述の通り、中空容器２に設けた外方拡部５を、スリット１６ｂには中空状物３Ｆに設けた挿入片１７を差し込む。【００５９】  スリット１６ａには２片の外方拡部５を差込むので２個平行状に設ける。その長さは外方拡部５の幅とし、その２個間の間隔は花差し部４の幅と同じとする。又、前述の板状物９の端部をカットする際には、そのカット線とスリット１６ａとの間隔が折れ線１２ｈと１２ｊとの間隔と略同じとなるようにカットする。なお、スリット１６ｂを設ける位置は、中空状物３Ｆの挿入片１７に対応した位置になるように設計する。【００６０】  以上の様にして作成の各パーツを図２０の様に配置し、まず、中空状物３Ｆを矢印に従い中空容器２の相対する側面に両面テープで装着する。その際、中空状物３Ｆの下端縁部と花差し部４の下端縁部とが一致する様に装着する。中空容器２を板状物９に装着した時、中空状物３Ｆの下部と板状物９との間に隙間が出来ない様にする為である。【００６１】  中空状物３Ｆを中空容器２に装着したら、外方拡部５ｂの端部６を板状物９のスリット１６ａへ差込み、さらに外方拡部５ｂ、続いて５ａとスリット１６ａを通過させ折れ線１２ｈまで差込む。その時、中空状物３Ｆの挿入片１７も対応するスリット１６ｂに差込む。その後、板状物９の裏面下方に突き出た外方拡部５の端部６を板状物９の外側から持上げ、図１９に示す様に、中空容器２の上部に設けたＵ字形状の切込み１５に差込む。【００６２】  この様にして作成の図１９の花器１は、花差し部４の中にポリ袋或はペットボトル等の防水性容器を挿入すれば花瓶として使用でき、中空状物３Ｆは物入用スペースとして利用でき、他の実施例の花器と同様に自立安定性にも優れ使い勝手も良いものである。��００６３】  なお、本実施例では中空容器２と板状物９との装着を両面テープではなくスリット１６への差込みで行っているので、使用しなくなったら簡単に分解して平たく折畳み収納出来る。平たく折畳み収納する為には中空容器２と板状物９とを切離す必要がある。切離してしまえば、本構成の中空容器２は中空状物３Ｆが付いていても折れ線１２ｆを利用すれば両者は一体的に平たく折畳む事が出来る。その切離しの時、両面テープで装着していると装着面が破損し見苦しくなる上に、再組立ての時再度両面テープを貼り付ける手間が出てくる。しかし、本実施例はスリット差込みで装着しているので差込みを引き抜けば簡単に分解できるし、どこも傷めず、再組立も簡単という特徴を有するものである。
【図面の簡単な説明】
【００６４】
【図１】実施例１に記載の本発明花器の斜視図。
【図２】図１の花器に使用の各パーツの組立て配置図。
【図３】図１の花器に使用の各パーツの斜視図。
【図４】図１の花器に使用の各パーツの展開図。
【図５】実施例２に記載の本発明花器の斜視図。
【図６】図５の花器に使用の各パーツの斜視図と組立て配置図。
【図７】図５の花器に使用の中空容器の製作過程図。
【図８】図５の花器に使用の各パーツの展開図。
【図９】被覆容器を係止する為の係止部の実施例図。
【図１０】実施例３に記載の本発明花器の斜視図。
【図１１】図１０の花器に使用の各パーツの斜視図と組立て配置図。
【図１２】図１０の花器に使用の各パーツの展開図。
【図１３】実施例４に記載の本発明花器の斜視図。
【図１４】図１３の花器に使用の各パーツの斜視図、側面図、平面図。
【図１５】図１３の花器に使用の中空状物の展開図。
【図１６】実施例５に記載の本発明花器の斜視図。
【図１７】図１６の花器に使用の中空容器の製作過程図。
【図１８】図１６の花器に使用の中空容器の展開図。
【図１９】実施例６に記載の本発明花器の斜視図。
【図２０】図１９の花器に使用の各パーツの斜視図と組立て配置図。
【図２１】図１９の花器に使用の各パーツの展開図。
【符号の説明】
【００６５】        １、  花器
２、  中空容器
３、３Ａ、３Ｂ、３Ｃ、３Ｅ、３Ｆ、  中空状物
４、  花差し部
５、５ａ、５ｂ、５ｃ、５ｄ、５ｅ、  外方拡部
６、  端部
７、  花
８、  被覆容器
９、  板状物
１０、  係止部
１１、  カット線
１２、１２ｆ、１２ｇ、１２ｈ、１２ｊ、１２ｋ、１２ｍ、  折れ線
１３、  ノリ代部
１４、  ポリ袋
１５、  切込み
１６、１６ａ、１６ｂ、  スリット
１７、  挿入片
【図１】
2006326280.tif 000003
【図２】
2006326280.tif 000004
【図３】
2006326280.tif 000005
【図４】
2006326280.tif 000006
【図５】
2006326280.tif 000007
【図６】
2006326280.tif 000008
【図７】
2006326280.tif 000009
【図８】
2006326280.tif 000010
【図９】
2006326280.tif 000011
【図１０】
2006326280.tif 000012
【図１１】
2006326280.tif 000013
【図１２】
2006326280.tif 000014
【図１３】
2006326280.tif 000015
【図１４】
2006326280.tif 000016
【図１５】
2006326280.tif 000017
【図１６】
2006326280.tif 000018
【図１７】
2006326280.tif 000019
【図１８】
2006326280.tif 000020
【図１９】
2006326280.tif 000021
【図２０】
2006326280.tif 000022
【図２１】
2006326280.tif 000023